【手続補正書】
【提出日】平成19年2月9日(2007.2.9)
【手続補正１】
【補正対象書類名】明細書
【補正対象項目名】発明の名称
【補正方法】変更
【補正の内容】
【発明の名称】カメラ
【手続補正２】
【補正対象書類名】明細書
【補正対象項目名】特許請求の範囲
【補正方法】変更
【補正の内容】
【特許請求の範囲】
【請求項１】
第１の表面及び該第１の表面に対向する第２の表面を有する基板と、
前記第１の表面上に形成された薄膜トランジスタと、
前記薄膜トランジスタ上に形成された平坦化膜と、
前記平坦化膜上に形成され、前記薄膜トランジスタに電気的に接続された第１の電極と、
前記第１の電極上に形成された発光層と、
前記発光層上に形成された第２の電極と、を有し、
前記第２の表面はレンズとして機能し、球面状であることを特徴とするＥＬ表示装置を搭載したカメラ。
【請求項２】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成された平坦化膜と、
前記平坦化膜上に形成され、前記薄膜トランジスタに電気的に接続された第１の電極と、
前記第１の電極上に形成された発光層と、
前記発光層上に形成された第２の電極と、を有し、
前記第２の表面はレンズとして機能し、球面状であることを特徴とするＥＬ表示装置を搭載したカメラ。
【請求項３】
第１の表面及び該第１の表面に対向する第２の表面を有する基板と、
前記第１の表面上に形成された薄膜トランジスタと、
前記薄膜トランジスタ上に形成された平坦化膜と、
前記平坦化膜上に形成され、前記薄膜トランジスタに電気的に接続された第１の電極と、
前記第１の電極上に形成された発光層と、
前記発光層上に形成された第２の電極と、を有し、
前記第２の表面はレンズとして機能し、球面状であることを特徴とするＥＬ表示装置を含むビューファインダーを搭載したカメラ。
【請求項４】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成された平坦化膜と、
前記平坦化膜上に形成され、前記薄膜トランジスタに電気的に接続された第１の電極と、
前記第１の電極上に形成された発光層と、
前記発光層上に形成された第２の電極と、を有し、
前記第２の表面はレンズとして機能し、球面状であることを特徴とするＥＬ表示装置を含むビューファインダーを搭載したカメラ。
【請求項５】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成されたパッシベーション膜と、
前記パッシベーション膜上に形成され、前記薄膜トランジスタに電気的に接続された第１の電極と、
前記第１の電極上に形成された発光層と、
前記発光層上に形成された第２の電極と、を有し、
前記第２の表面はレンズとして機能し、球面状であることを特徴とするＥＬ表示装置を搭載したカメラ。
【請求項６】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成されたパッシベーション膜と、
前記パッシベーション膜上に形成され、前記薄膜トランジスタに電気的に接続された第１の電極と、
前記第１の電極上に形成された発光層と、
前記発光層上に形成された第２の電極と、を有し、
前記第２の表面はレンズとして機能し、球面状であることを特徴とするＥＬ表示装置を含むビューファインダーを搭載したカメラ。
【請求項７】
請求項１乃至請求項６のいずれか一項において、
前記発光層は有機材料又は無機材料からなることを特徴とするカメラ。
【請求項８】
第１の表面及び該第１の表面に対向する第２の表面を有する基板と、
前記第１の表面上に形成された薄膜トランジスタと、
前記薄膜トランジスタ上に形成された平坦化膜と、
前記平坦化膜上に形成され、前記薄膜トランジスタに電気的に接続された画素電極と、
前記画素電極上に形成された液晶層と、
前記液晶層上に形成された対向電極と、を有し、
前記第２の表面はレンズとして機能し、球面状であることを特徴とする液晶表示装置を搭載したカメラ。
【請求項９】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成された平坦化膜と、
前記平坦化膜上に形成され、前記薄膜トランジスタに電気的に接続された画素電極と、
前記画素電極上に形成された液晶層と、
前記液晶層上に形成された対向電極と、を有し、
前記第２の表面はレンズとして機能し、球面状であることを特徴とする液晶表示装置を搭載したカメラ。
【請求項１０】
第１の表面及び該第１の表面に対向する第２の表面を有する基板と、
前記第１の表面上に形成された薄膜トランジスタと、
前記薄膜トランジスタ上に形成された平坦化膜と、
前記平坦化膜上に形成され、前記薄膜トランジスタに電気的に接続された画素電極と、
前記画素電極上に形成された液晶層と、
前記液晶層上に形成された対向電極と、を有し、
前記第２の表面はレンズとして機能し、球面状であることを特徴とする液晶表示装置を含むビューファインダーを搭載したカメラ。
【請求項１１】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成された平坦化膜と、
前記平坦化膜上に形成され、前記薄膜トランジスタに電気的に接続された画素電極と、
前記画素電極上に形成された液晶層と、
前記液晶層上に形成された対向電極と、を有し、
前記第２の表面はレンズとして機能し、球面状であることを特徴とする液晶表示装置を含むビューファインダーを搭載したカメラ。
【請求項１２】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成されたパッシベーション膜と、
前記パッシベーション膜上に形成され、前記薄膜トランジスタに電気的に接続された画素電極と、
前記画素電極上に形成された液晶層と、
前記液晶層上に形成された対向電極と、を有し、
前記第２の表面はレンズとして機能し、球面状であることを特徴とする液晶表示装置を搭載したカメラ。
【請求項１３】
第１の表面及び該第１の表面に対向する第２の表面を有する基板と、
前記第１の表面上に形成され、ＬＤＤ領域及び前記ＬＤＤ領域に部分的に重なるゲート電極を有する薄膜トランジスタと、
前記薄膜トランジスタ上に形成されたパッシベーション膜と、
前記パッシベーション膜上に形成され、前記薄膜トランジスタに電気的に接続された画素電極と、
前記画素電極上に形成された液晶層と、
前記液晶層上に形成された対向電極と、を有し、
前記第２の表面はレンズとして機能し、球面状であることを特徴とする液晶表示装置を含むビューファインダーを搭載したカメラ。
【請求項１４】
請求項１乃至請求項４又は請求項８乃至請求項１１のいずれか一項において、
前記平坦化膜は樹脂材料でなることを特徴とするカメラ。
【請求項１５】
請求項１乃至請求項１４のいずれか一項において、
前記カメラは、ビデオカメラ又はデジタルカメラであることを特徴とするカメラ。